【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
ワイヤレスネットワークにおいてフィードバックを通信する方法であって、
アクセスネットワークノードに複数のサブフレームに関するフィードバックを通信するためのインジケーションを、前記アクセスネットワークノードから受信することと、
前記複数のサブフレームにおいて受信されたトランスポートブロックに関連する複数のプロセス識別子を決定することと、
前記複数のサブフレームにおいて受信された前記複数のプロセス識別子に関するフィードバックをグルーピングすることと、
前記アクセスネットワークノードに、前記グルーピングから得られるグルーピングされたフィードバックおよび前記複数のサブフレームを示すフィードバックタグを送信することと、
を備える、方法。
【請求項２】
前記インジケーションに少なくとも部分的に基づいて、前記複数のサブフレームを決定することをさらに備える、請求項１に記載の方法。
【請求項３】
前記複数のサブフレームを決定することは、前記インジケーションを受信することに関連する第１のサブフレームと、前記アクセスネットワークノードに前の複数のサブフレームに関する前のフィードバックを通信するための前に受信されたインジケーションに関連する第２のサブフレームと、を決定することを備える、請求項２に記載の方法。
【請求項４】
前記複数のサブフレームを決定することは、前記インジケーションが受信されるサブフレームの前に生じる第１のサブフレームと、前記アクセスネットワークノードに前の複数のサブフレームに関する前のフィードバックを通信するための前に受信されたインジケーションに関連する第２のサブフレームと、を決定することを備える、請求項２に記載の方法。
【請求項５】
前記インジケーションを受信することは、前記アクセスネットワークノードからリソースグラントを受信することを備える、請求項１に記載の方法。
【請求項６】
前記リソースグラントの変調およびコーディングスキーム（ＭＣＳ）に少なくとも部分的に基づいて、前記グルーピングされたフィードバックを送信するためのリソースを決定することをさらに備える、請求項５に記載の方法。
【請求項７】
前記複数のプロセス識別子に少なくとも部分的に基づいて、前記グルーピングされたフィードバックを送信するためのリソースを決定することをさらに備える、請求項５に記載の方法。
【請求項８】
前記インジケーションは、前記複数のプロセス識別子を指定する、請求項１に記載の方法。
【請求項９】
前記インジケーションは、前記グルーピングされたフィードバックを送信する際に使用されるべき前記フィードバックタグを指定する、請求項１に記載の方法。
【請求項１０】
前記フィードバックをグルーピングすることは、フィードバックビットマップを生成することを備え、ここにおいて、前記フィードバックビットマップにおける複数のビットの各々は、前記複数のプロセス識別子のうちの１つに関するグルーピングされたフィードバックを示す、請求項１に記載の方法。
【請求項１１】
前記アクセスネットワークノードと通信するためのチャネルリソースを介してクリアチャネルアセスメントを実行することをさらに備え、前記グルーピングされたフィードバックを送信することは、前記クリアチャネルアセスメントに後続する前記チャネルリソースを介して送信することを備える、請求項１に記載の方法。
【請求項１２】
ワイヤレスネットワークにおいてフィードバックを通信するための装置であって、
アクセスネットワークノードに複数のサブフレームに関するフィードバックを通信するためのインジケーションを、前記アクセスネットワークノードから受信するための手段と、
前記複数のサブフレームにおいて受信されたトランスポートブロックに関連する複数のプロセス識別子を決定するための手段と、
前記複数のサブフレームにおいて受信された前記複数のプロセス識別子に関するフィードバックをグルーピングするための手段と、
前記アクセスネットワークノードに、前記グルーピングから得られるグルーピングされたフィードバックおよび前記複数のサブフレームを示すフィードバックタグを送信するための手段と、
を備える、装置。
【請求項１３】
決定するための前記手段は、前記インジケーションに少なくとも部分的に基づいて、前記複数のサブフレームを決定する、請求項１２に記載の装置。
【請求項１４】
決定するための前記手段は、少なくとも部分的に、前記インジケーションを受信することに関連する第１のサブフレームと、前記アクセスネットワークノードに前の複数のサブフレームに関する前のフィードバックを通信するための前に受信されたインジケーションに関連する第２のサブフレームと、を決定することによって、前記複数のサブフレームを決定する、請求項１３に記載の装置。
【請求項１５】
少なくとも１つのコンピュータに、請求項１乃至１１のいずれか一項に従ったステップを実行させるための命令を備える、コンピュータプログラム。
【手続補正２】
【補正対象書類名】明細書
【補正対象項目名】００７３
【補正方法】変更
【補正の内容】
【００７３】
[0081]  先の説明は、当業者が本明細書に説明される様々な態様を実施することを可能にするために提供される。これらの態様への様々な修正は、当業者にとって容易に明らかとなり、本明細書に定義された包括的な原理は、他の態様に適用され得る。したがって、請求項は、本明細書に示される態様に限定されるように意図されたものではなく、請求項の文言と一貫する最大範囲を与えられる（be accorded）べきであり、ここにおいて、単数形の要素への参照は、特にそのように述べられていない限りは「１つおよび１つのみ」を意味するように意図されるのではなく、むしろ「１つまたは複数」を意味するように意図される。そうでないことが特に述べられていない限り、「いくつかの」という用語は、１つまたは複数を指す。項目のリスト「のうちの少なくとも１つ」を指すフレーズは、単一のメンバーを含むそれらの項目の任意の組み合わせを指す。例として、「ａ、ｂ、またはｃのうちの少なくとも１つ」は、ａ；ｂ；ｃ；ａおよびｂ；ａおよびｃ；ｂおよびｃ；ならびにａ、ｂ、およびｃ、をカバーするように意図されている。当業者に知られている、または後に知られることになるこの開示の全体にわたって説明される様々な態様の要素に対するすべての構造的同等物および機能的同等物は、参照によって本明細書に明確に組み込まれ、特許請求の範囲によって包含されるように意図されている。その上、本明細書のどの開示も、そのような開示が特許請求の範囲中に明示的に記載されているかどうかに関わらず、公に献呈される（be dedicated）ようには意図されていない。請求項のどの要素も、その要素が「〜のための手段」というフレーズを使用して明示的に記載されていない限り、または、方法の請求項の場合には、その要素が「〜するためのステップ」というフレーズを使用して記載されていない限り、米国特許法第１１２条（ｆ）の規定の下に解釈されるものではない。
以下に、本願出願の当初の特許請求の範囲に記載された発明を付記する。
［Ｃ１］
ワイヤレスネットワークにおいてフィードバックを通信する方法であって、
アクセスネットワークノードに複数のサブフレームに関するフィードバックを通信するためのインジケーションを、前記アクセスネットワークノードから受信することと、
前記複数のサブフレームにおいて受信されたトランスポートブロックに関連する複数のプロセス識別子を決定することと、
前記複数のサブフレームにおいて受信された前記複数のプロセス識別子に関するフィードバックをグルーピングすることと、
前記アクセスネットワークノードに、前記グルーピングから得られるグルーピングされたフィードバックおよび前記複数のサブフレームを示すフィードバックタグを送信することと、
を備える、方法。
［Ｃ２］
前記インジケーションに少なくとも部分的に基づいて、前記複数のサブフレームを決定することをさらに備える、Ｃ１に記載の方法。
［Ｃ３］
前記複数のサブフレームを決定することは、前記インジケーションを受信することに関連する第１のサブフレームと、前記アクセスネットワークノードに前の複数のサブフレームに関する前のフィードバックを通信するための前に受信されたインジケーションに関連する第２のサブフレームと、を決定することを備える、Ｃ２に記載の方法。
［Ｃ４］
前記複数のサブフレームを決定することは、前記インジケーションが受信されるサブフレームの前に生じる第１のサブフレームと、前記アクセスネットワークノードに前の複数のサブフレームに関する前のフィードバックを通信するための前に受信されたインジケーションに関連する第２のサブフレームと、を決定することを備える、Ｃ２に記載の方法。
［Ｃ５］
前記インジケーションを受信することは、前記アクセスネットワークノードからリソースグラントを受信することを備える、Ｃ１に記載の方法。
［Ｃ６］
前記リソースグラントの変調およびコーディングスキーム（ＭＣＳ）に少なくとも部分的に基づいて、前記グルーピングされたフィードバックを送信するためのリソースを決定することをさらに備える、Ｃ５に記載の方法。
［Ｃ７］
前記複数のプロセス識別子に少なくとも部分的に基づいて、前記グルーピングされたフィードバックを送信するためのリソースを決定することをさらに備える、Ｃ５に記載の方法。
［Ｃ８］
前記インジケーションは、前記複数のプロセス識別子を指定する、Ｃ１に記載の方法。
［Ｃ９］
前記インジケーションは、前記グルーピングされたフィードバックを送信する際に使用されるべき前記フィードバックタグを指定する、Ｃ１に記載の方法。
［Ｃ１０］
前記アクセスネットワークノードに否定的アクノリッジメントを送信することをさらに備え、前記インジケーションにおいて指定される前記フィードバックタグは、予想されるフィードバックタグとは異なる、Ｃ９に記載の方法。
［Ｃ１１］
前記フィードバックをグルーピングすることは、フィードバックビットマップを生成することを備え、ここにおいて、前記フィードバックビットマップにおける複数のビットの各々は、前記複数のプロセス識別子のうちの１つに関するグルーピングされたフィードバックを示す、Ｃ１に記載の方法。
［Ｃ１２］
前記アクセスネットワークノードと通信するためのチャネルリソースを介してクリアチャネルアセスメントを実行することをさらに備え、前記グルーピングされたフィードバックを送信することは、前記クリアチャネルアセスメントに後続する前記チャネルリソースを介して送信することを備える、Ｃ１に記載の方法。
［Ｃ１３］
ワイヤレスネットワークにおいてフィードバックを通信するための装置であって、
アクセスネットワークノードに複数のサブフレームに関するフィードバックを通信するためのインジケーションを、前記アクセスネットワークノードから受信するように構成されるフィードバックトリガ受信コンポーネントと、
前記複数のサブフレームにおいて受信されたトランスポートブロックに関連する複数のプロセス識別子を決定するように構成されるプロセス識別子決定コンポーネントと、
前記複数のサブフレームにおいて受信された前記複数のプロセス識別子に関するフィードバックをグルーピングするように構成されるフィードバックグルーピングコンポーネントと、
前記アクセスネットワークノードに、前記グルーピングから得られるグルーピングされたフィードバックおよび前記複数のサブフレームを示すフィードバックタグを送信するように構成されるフィードバック送信コンポーネントと、
を備える、装置。
［Ｃ１４］
前記プロセス識別子決定コンポーネントは、前記インジケーションに少なくとも部分的に基づいて、前記複数のサブフレームを決定するようにさらに構成される、Ｃ１３に記載の装置。
［Ｃ１５］
前記プロセス識別子決定コンポーネントは、少なくとも部分的に、前記インジケーションを受信することに関連する第１のサブフレームと、前記アクセスネットワークノードに前の複数のサブフレームに関する前のフィードバックを通信するための前に受信されたインジケーションに関連する第２のサブフレームと、を決定することによって、前記複数のサブフレームを決定するように構成される、Ｃ１３に記載の装置。
［Ｃ１６］
前記プロセス識別子決定コンポーネントは、少なくとも部分的に、前記インジケーションが受信されるサブフレームの前に生じる第１のサブフレームと、前記アクセスネットワークノードに前の複数のサブフレームに関する前のフィードバックを通信するための前に受信されたインジケーションに関連する第２のサブフレームと、を決定することによって、前記複数のサブフレームを決定するように構成される、Ｃ１３に記載の装置。
［Ｃ１７］
前記フィードバックトリガ受信コンポーネントは、前記アクセスネットワークノードからリソースグラントにおいて前記インジケーションを受信するように構成される、Ｃ１３に記載の装置。
［Ｃ１８］
前記フィードバック送信コンポーネントは、前記リソースグラントの変調およびコーディングスキーム（ＭＣＳ）に少なくとも部分的に基づいて、前記グルーピングされたフィードバックを送信するためのリソースを決定するようにさらに構成される、Ｃ１７に記載の装置。
［Ｃ１９］
前記フィードバック送信コンポーネントは、前記複数のプロセス識別子に少なくとも部分的に基づいて、前記グルーピングされたフィードバックを送信するためのリソースを決定するようにさらに構成される、Ｃ１７に記載の装置。
［Ｃ２０］
前記インジケーションは、前記複数のプロセス識別子を指定する、Ｃ１３に記載の装置。
［Ｃ２１］
前記インジケーションは、前記グルーピングされたフィードバックを送信する際に使用されるべき前記フィードバックタグを指定する、Ｃ１３に記載の装置。
［Ｃ２２］
前記フィードバック送信コンポーネントは、前記アクセスネットワークノードに否定的アクノリッジメントを送信するようにさらに構成され、前記インジケーションにおいて指定される前記フィードバックタグは、予想されるフィードバックタグとは異なる、Ｃ２１に記載の装置。
［Ｃ２３］
前記フィードバックグルーピングコンポーネントは、少なくとも部分的に、フィードバックビットマップを生成することによって、前記フィードバックをグルーピングするように構成され、ここにおいて、前記フィードバックビットマップにおける複数のビットの各々は、前記複数のプロセス識別子のうちの１つに関するグルーピングされたフィードバックを示す、Ｃ１３に記載の装置。
［Ｃ２４］
前記フィードバック送信コンポーネントは、前記アクセスネットワークノードと通信するためのチャネルリソースを介してクリアチャネルアセスメントを実行するようにさらに構成され、前記グルーピングされたフィードバックを送信することは、前記クリアチャネルアセスメントに後続する前記チャネルリソースを介して送信することを備える、Ｃ１３に記載の装置。
［Ｃ２５］
ワイヤレスネットワークにおいてフィードバックを通信するための装置であって、
アクセスネットワークノードに複数のサブフレームに関するフィードバックを通信するためのインジケーションを、前記アクセスネットワークノードから受信するための手段と、
前記複数のサブフレームにおいて受信されたトランスポートブロックに関連する複数のプロセス識別子を決定するための手段と、
前記複数のサブフレームにおいて受信された前記複数のプロセス識別子に関するフィードバックをグルーピングするための手段と、
前記アクセスネットワークノードに、前記グルーピングから得られるグルーピングされたフィードバックおよび前記複数のサブフレームを示すフィードバックタグを送信するための手段と、
を備える、装置。
［Ｃ２６］
決定するための前記手段は、前記インジケーションに少なくとも部分的に基づいて、前記複数のサブフレームを決定する、Ｃ２５に記載の装置。
［Ｃ２７］
決定するための前記手段は、少なくとも部分的に、前記インジケーションを受信することに関連する第１のサブフレームと、前記アクセスネットワークノードに前の複数のサブフレームに関する前のフィードバックを通信するための前に受信されたインジケーションに関連する第２のサブフレームと、を決定することによって、前記複数のサブフレームを決定する、Ｃ２６に記載の装置。
［Ｃ２８］
ワイヤレスネットワークにおいてフィードバックを通信するためのコンピュータ実行可能なコードを備えるコンピュータ可読媒体であって、前記コードは、
アクセスネットワークノードに複数のサブフレームに関するフィードバックを通信するためのインジケーションを、前記アクセスネットワークノードから受信するためのコードと、
前記複数のサブフレームにおいて受信されたトランスポートブロックに関連する複数のプロセス識別子を決定するためのコードと、
前記複数のサブフレームにおいて受信された前記複数のプロセス識別子に関するフィードバックをグルーピングするためのコードと、
前記アクセスネットワークノードに、前記グルーピングから得られるグルーピングされたフィードバックおよび前記複数のサブフレームを示すフィードバックタグを送信するためのコードと、
を備える、コンピュータ可読媒体。
［Ｃ２９］
決定するための前記コードは、前記インジケーションに少なくとも部分的に基づいて、前記複数のサブフレームを決定する、Ｃ２８に記載のコンピュータ可読媒体。
［Ｃ３０］
決定するための前記コードは、少なくとも部分的に、前記インジケーションを受信することに関連する第１のサブフレームと、前記アクセスネットワークノードに前の複数のサブフレームに関する前のフィードバックを通信するための前に受信されたインジケーションに関連する第２のサブフレームと、を決定することによって、前記複数のサブフレームを決定する、Ｃ２８に記載のコンピュータ可読媒体。